(57)【特許請求の範囲】
【請求項１】
ハイブリッド無線ネットワークにおいて装置間（Ｄ２Ｄ）通信を設定するための方法であって、
無線広域ネットワーク（ＷＷＡＮ）を使用して、第１のユーザ装置（ＵＥ）及び第２のＵＥの近接を識別するステップ；
ネットワーク支援型の近接検出情報を前記第１のＵＥ及び前記第２のＵＥに通知するステップであって、前記近接検出情報は、Ｄ２Ｄ通信チャネルを含み、前記ネットワーク支援型の近接検出情報は前記第１のＵＥ及び前記第２のＵＥが近接検出を実行できるようにする、通知するステップ；
前記第１のＵＥ及び前記第２のＵＥの一方を、ピアツーピア（Ｐ２Ｐ）グループ所有者として選択するステップであって、前記第１のＵＥ及び前記第２のＵＥのうち前記Ｐ２Ｐグループ所有者として選択される方は、Ｐ２Ｐグループ識別子（ＩＤ）を送信するように構成され、前記第１のＵＥ及び前記第２のＵＥのうち前記Ｐ２Ｐグループ所有者として選択されない方は、前記Ｐ２ＰグループＩＤをスキャンするように構成される、選択するステップ；
前記Ｄ２Ｄ通信チャネルの無線ローカルエリアネットワーク（ＷＬＡＮ）に基づくＤ２Ｄフォーマットを使用して、前記第１のＵＥと前記第２のＵＥとの間のＤ２Ｄ通信リンクを設定するステップ；
を含む、方法。
【請求項２】
前記ＷＷＡＮと通信するＷＬＡＮを使用して前記第１のＵＥ及び前記第２のＵＥの前記近接を識別するステップ；
をさらに含む、請求項１に記載の方法。
【請求項３】
前記選択するステップは、近接検出機能（ＰＤＦ）を使用して、前記第１のＵＥ及び前記第２のＵＥの一方を、前記ピアツーピア（Ｐ２Ｐ）グループ所有者として選択するステップ；
をさらに含む、請求項１に記載の方法。
【請求項４】
前記第１のＵＥ（ＵＥ１  ＩＤ）及び前記第２のＵＥ（ＵＥ２  ＩＤ）の識別情報を、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）、ＩＭＥＩ（ｉｎｔｅｒｎａｔｉｏｎａｌ  ｍｏｂｉｌｅ  ｓｔａｔｉｏｎ  ｅｑｕｉｐｍｅｎｔ  ｉｄｅｎｔｉｔｙ）、媒体アクセス制御（ＭＡＣ）識別情報（ＩＤ）、ＭＳＩＳＤＮ（ｍｏｂｉｌｅ  ｓｕｂｓｃｒｉｂｅｒ  ｉｎｔｅｇｒａｔｅｄ  ｓｅｒｖｉｃｅｓ  ｄｉｇｉｔａｌ  ｎｅｔｗｏｒｋ−ｎｕｍｂｅｒ）、ＴＭＳＩ（ｔｅｍｐｏｒａｒｙ  ｍｏｂｉｌｅ  ｓｕｂｓｃｒｉｂｅｒ  ｉｄｅｎｔｉｔｙ）、ＧＵＴＩ（ｇｌｏｂａｌ  ｕｎｉｑｕｅ  ｔｅｍｐｏｒａｒｙ  ｉｄｅｎｔｉｔｙ）、ＬＭＳＩ（ｌｏｃａｌ  ｍｏｂｉｌｅ  ｓｕｂｓｃｒｉｂｅｒ  ｉｄｅｎｔｉｔｙ）、ＴＬＬＩ（ｔｅｍｐｏｒａｒｙ  ｌｏｇｉｃａｌ  ｌｉｎｋ  ｉｄｅｎｔｉｆｉｅｒ）、ＡＳＮ（ａｃｃｅｓｓ  ｎｅｔｗｏｒｋ  ｉｄｅｎｔｉｔｙ）、Ｄ２Ｄアクセスポイント名（ＡＰＮ）、又は課金目的のために前記ＩＭＳＩにマップされる新しいユーザ情報、に基づいて作成するステップ；
をさらに含む、請求項１に記載の方法。
【請求項５】
前記第１のＵＥと前記第２のＵＥとの間の前記Ｄ２Ｄ通信リンクを設定するために、前記ＵＥ１  ＩＤ及び前記ＵＥ２  ＩＤから導出される仮想ＭＡＣアドレスであるピアツーピア（Ｐ２Ｐ）インターフェース媒体アクセス制御（ＭＡＣ）アドレスを作成するステップ；
をさらに含む、請求項４に記載の方法。
【請求項６】
前記ＷＷＡＮ経由で前記第１のＵＥ及び前記第２のＵＥにおいて受信した前記ネットワーク支援型の近接検出情報を使用して、前記第１のＵＥと前記第２のＵＥとの間の近接を検出するステップであって、前記ＷＷＡＮは、第３世代パートナーシッププロジェクト（３ＧＰＰ）リリース８、９、１０又は１１に基づくＷＷＡＮである、ステップ；
をさらに含む、請求項１に記載の方法。
【請求項７】
ピアツーピアグループ（Ｐ２ＰＧｒｏｕｐ）基本サービスセット識別情報（ＢＳＳＩＤ）を前記第１のＵＥ及び前記第２のＵＥのうちのピアツーピア（Ｐ２Ｐ）グループ所有者として選択される一方から送信すること、及び前記第１のＵＥ及び前記第２のＵＥのうちの前記Ｐ２Ｐグループ所有者として選択されない一方により前記Ｐ２ＰＧｒｏｕｐ  ＢＳＳＩＤをスキャンすることにより、前記第１のＵＥ及び前記第２のＵＥの近接を検出するステップ；
をさらに含む、請求項６に記載の方法。
【請求項８】
前記Ｄ２Ｄ通信チャネルにおいてＰ２ＰＧｒｏｕｐ  ＢＳＳＩＤを送信し、且つ前記Ｄ２Ｄ通信チャネルにおいて前記Ｐ２ＰＧｒｏｕｐ  ＢＳＳＩＤをスキャンするステップ；
をさらに含む、請求項７に記載の方法。
【請求項９】
ネットワーク支援型の近接検出情報を通知することは、さらに、前記第１のＵＥ及び前記第２のＵＥのうちのグループ所有者として選択された一方に対して、
近接検出機能により選択されたグループ所有者ステータス；
識別情報（ＩＤ）値（ＵＥ  ＩＤ）；及び
Ｄ２Ｄ通信チャネルの中心周波数及び帯域幅；
を送信することを含む、請求項１に記載の方法。
【請求項１０】
ネットワーク支援型の近接検出情報を前記グループ所有者に通知することは、
ピアツーピアグループ（Ｐ２ＰＧｒｏｕｐ）基本サービスセット識別情報（ＢＳＳＩＤ）；
前記グループ所有者として選択された前記ＵＥのピアツーピア（Ｐ２Ｐ）インターフェース媒体アクセス制御（ＭＡＣ）アドレス；及び
前記第１のＵＥ及び前記第２のＵＥのうちの前記グループ所有者として選択ない一方のＰ２ＰインターフェースＭＡＣアドレス；
を通知することを含み、
各ＵＥの前記Ｐ２ＰインターフェースＭＡＣアドレスは、そのＵＥについて導出されるＵＥ識別情報（ＩＤ）値から導出される、
請求項９に記載の方法。
【請求項１１】
ネットワーク支援型の近接検出情報を通知することは、さらに、前記第１のＵＥ及び前記第２のＵＥのうちのグループ所有者として選択されなかった一方に対して、
近接検出機能により選択されたグループ所有者ステータス；
ユーザ装置（ＵＥ）識別情報（ＩＤ）値；及び
Ｄ２Ｄ通信チャネル帯域幅及び中心周波数；
を送信することを含む、
請求項１に記載の方法。
【請求項１２】
前記第１のＵＥ及び前記第２のＵＥのうちのグループ所有者として選択されなかった一方に対してネットワーク支援型の近接検出情報を通知することは、
前記グループ所有者として選択された前記ＵＥのピアツーピア（Ｐ２Ｐ）インターフェース媒体アクセス制御（ＭＡＣ）アドレス；及び
前記第１のＵＥ及び前記第２のＵＥのうちの前記グループ所有者として選択されなかった一方のＰ２ＰインターフェースＭＡＣアドレス；
を通知することをさらに含む、
請求項１１に記載の方法。
【請求項１３】
第３世代パートナーシッププロジェクト（３ＧＰＰ）構成の無線広域ネットワーク（ＷＷＡＮ）と通信する近接検出機能（ＰＤＦ）モジュールを備える装置間（Ｄ２Ｄ）通信を設定するために動作可能なモジュールであって、
前記ＰＤＦモジュールは：
第１のユーザ装置（ＵＥ）及び第２のＵＥが近傍内に位置する場合に検出し；
前記第１のＵＥ及び前記第２のＵＥのうちの一方をピアツーピア（Ｐ２Ｐ）グループ所有者として選択し；かつ
前記Ｐ２Ｐグループ所有者に基づき、選択されたネットワーク支援型の近接検出情報を、前記第１のＵＥ及び前記第２のＵＥに通知する；ように構成され、
前記ネットワーク支援型の近接検出情報は前記第１のＵＥ及び前記第２のＵＥ間の近接を検出できるようにし、前記第１のＵＥ及び前記第２のＵＥのうち前記Ｐ２Ｐグループ所有者として選択される方は、Ｐ２Ｐグループ識別子（ＩＤ）を送信するように構成され、前記第１のＵＥ及び前記第２のＵＥのうち前記Ｐ２Ｐグループ所有者として選択されない方は、前記Ｐ２ＰグループＩＤをスキャンするように構成される、モジュール。
【請求項１４】
前記ＰＤＦモジュールは、拡張ノードＢ（ｅＮＢ）、モビリティマネジメントエンティティ（ＭＭＥ）サーバ、ＡＮＤＳＦ（ａｃｃｅｓｓ  ｎｅｔｗｏｒｋ  ｄｉｓｃｏｖｅｒｙ  ａｎｄ  ｓｅｌｅｃｔｉｏｎ  ｆｕｎｃｔｉｏｎ）、又は移動通信網オペレータ（ＭＮＯ）コアで動作するサーバに置かれ；且つ前記ＰＤＦモジュールは、無線リソース制御（ＲＲＣ）信号、Ｓ１アクセスポイント、ＮＡＳ（ｎｏｎ  ａｃｃｅｓｓ  ｓｔｒａｔｕｍ）レイヤ、ＯＭＡ（ｏｐｅｎ  ｍｏｂｉｌｅ  ａｌｌｉａｎｃｅ）デバイスマネジメントプロトコル、ＨＴＴＰ（ｈｙｐｅｒ  ｔｅｘｔ  ｔｒａｎｓｆｅｒ  ｐｒｏｔｏｃｏｌ）、ＸＭＬ（ｅｘｔｅｎｓｉｂｌｅ  ｍａｒｋｕｐ  ｌａｎｇｕａｇｅ）、又はＳＯＡＰ（ｓｉｍｐｌｅ  ｏｂｊｅｃｔ  ａｃｃｅｓｓ  ｐｒｏｔｏｃｏｌ）により、前記第１のＵＥ及び前記第２のＵＥと通信するように構成される、
請求項１３に記載のモジュール。
【請求項１５】
前記ＰＤＦモジュールは、前記第１のＵＥ及び前記第２のＵＥのうちの一方から近接検出の要求を受信した後、前記第１のＵＥが前記第２のＵＥと近接して配置される場合に識別するように構成される、
請求項１３に記載のモジュール。
【請求項１６】
前記ＰＤＦモジュールは、前記第１のＵＥ及び前記第２のＵＥが近接して配置される場合を識別するために、周期的に監視するように構成される、
請求項１３に記載のモジュール。
【請求項１７】
装置間（Ｄ２Ｄ）通信を設定するように構成されるユーザ装置（ＵＥ）であって、該ユーザ装置は、
該ＵＥで動作し、かつ第３世代パートナーシッププロジェクト（３ＧＰＰ）無線広域ネットワークと通信する近接検出機能（ＰＤＦ）モジュールと通信するように構成される装置間（Ｄ２Ｄ）モジュールを備え、
該Ｄ２Ｄモジュールは：
前記ＰＤＦモジュールから、前記ＵＥの近傍内に他のＵＥが置かれていることの表示を受信し；
前記他のＵＥとのＤ２Ｄ通信を設定するために使用可能でありＤ２Ｄ通信チャネルを含むネットワーク支援型の近接検出情報を前記ＰＤＦモジュールから受信し；
前記ＰＤＦからピアツーピア（Ｐ２Ｐ）グループ所有者ステータスを受信し；
Ｐ２Ｐグループ所有者ステータスを受信した場合には、前記Ｄ２Ｄ通信チャネルでピアツーピア（Ｐ２Ｐ）グループ識別子（ＩＤ）を送信し；
Ｐ２Ｐ非グループ所有者ステータスを受信した場合には、前記Ｄ２Ｄ通信チャネルで前記Ｐ２ＰグループＩＤをスキャンし；及び
該Ｐ２Ｐグループ所有者ステータスに基づき、前記ネットワーク支援型の近接検出情報を使用して、前記他のＵＥとの前記Ｄ２Ｄ通信チャネルにおける前記Ｄ２Ｄ通信を設定するように構成される、
ユーザ装置。
【請求項１８】
前記Ｄ２Ｄモジュールは：
Ｐ２Ｐグループ所有者のステータスを受信する場合に、ピアツーピア（Ｐ２Ｐ）グループ（Ｐ２ＰＧｒｏｕｐ）基本サービスセット識別情報（ＢＳＳＩＤ）を前記Ｄ２Ｄ通信チャネルで送信し；且つ
Ｐ２Ｐ非グループ所有者のステータスを受信する場合に、前記Ｄ２Ｄ通信チャネルにおいて前記Ｐ２ＰＧｒｏｕｐ  ＢＳＳＩＤをスキャンするように構成される、
請求項１７に記載のＵＥ。
【請求項１９】
前記Ｄ２Ｄモジュールは、前記ＵＥ及び前記他のＵＥの、ピアツーピア（Ｐ２Ｐ）インターフェース媒体アクセス制御（ＭＡＣ）アドレスを作成するように構成される、
請求項１７に記載のＵＥ。
【請求項２０】
前記Ｄ２Ｄモジュールは、前記第１のＵＥの第１のＵＥ識別（ＩＤ）値及び前記他のＵＥの第２のＵＥ  ＩＤ値を使用して、前記Ｐ２ＰインターフェースＭＡＣアドレスを作成するように構成される、
請求項１９に記載のＵＥ。
【請求項２１】
前記ＵＥの前記第１のＵＥ  ＩＤ値及び前記他のＵＥの前記第２のＵＥ  ＩＤ値は、それぞれ、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）、ＩＭＥＩ（ｉｎｔｅｒｎａｔｉｏｎａｌ  ｍｏｂｉｌｅ  ｓｔａｔｉｏｎ  ｅｑｕｉｐｍｅｎｔ  ｉｄｅｎｔｉｔｙ）、媒体アクセス制御（ＭＡＣ）識別情報（ＩＤ）、ＭＳＩＳＤＮ（ｍｏｂｉｌｅ  ｓｕｂｓｃｒｉｂｅｒ  ｉｎｔｅｇｒａｔｅｄ  ｓｅｒｖｉｃｅｓ  ｄｉｇｉｔａｌ  ｎｅｔｗｏｒｋ−ｎｕｍｂｅｒ）、ＴＭＳＩ（ｔｅｍｐｏｒａｒｙ  ｍｏｂｉｌｅ  ｓｕｂｓｃｒｉｂｅｒ  ｉｄｅｎｔｉｔｙ）、ＧＵＴＩ（ｇｌｏｂａｌ  ｕｎｉｑｕｅ  ｔｅｍｐｏｒａｒｙ  ｉｄｅｎｔｉｔｙ）、ＬＭＳＩ（ｌｏｃａｌ  ｍｏｂｉｌｅ  ｓｕｂｓｃｒｉｂｅｒ  ｉｄｅｎｔｉｔｙ）、ＴＬＬＩ（ｔｅｍｐｏｒａｒｙ  ｌｏｇｉｃａｌ  ｌｉｎｋ  ｉｄｅｎｔｉｆｉｅｒ）、ＡＳＮ（ａｃｃｅｓｓ  ｎｅｔｗｏｒｋ  ｉｄｅｎｔｉｔｙ）、Ｄ２Ｄアクセスポイント名（ＡＰＮ）、又は課金目的のために前記ＩＭＳＩにマップされる新しいユーザ情報、に基づいて作成される、
請求項２０に記載のＵＥ。
【請求項２２】
記Ｄ２Ｄモジュールは、前記ＵＥ及び前記他のＵＥが前記Ｄ２Ｄ通信により通信できるようにするために、前記Ｐ２ＰインターフェースＭＡＣアドレスを使用して、前記他のＵＥとのＤ２Ｄ通信を設定するように構成される、
請求項１９に記載のＵＥ。
【請求項２３】
前記Ｄ２Ｄモジュールは、前記ＷＷＡＮのｅＮｏｄｅＢ又は無線ローカルエリアネットワーク（ＷＬＡＮ）アクセスポイントを使用することなく前記ＵＥが前記他のＵＥと通信できるようにするために、前記Ｄ２Ｄ通信チャネルにおいて前記他のＵＥとの前記Ｄ２Ｄ通信を設定するように構成される、
請求項１７に記載のＵＥ。
【請求項２４】
請求項１ないし１２のうち何れか一項に記載の方法を、近接検出機能（ＰＤＦ）モジュールのコンピュータに実行させるコンピュータプログラム。
【請求項２５】
請求項２４に記載のコンピュータプログラムを保存する記憶媒体。
【発明の詳細な説明】
【技術分野】
【０００１】
本発明は、移動無線装置間で装置間（Ｄ２Ｄ）通信チャネルを設定するための技術に関連する。
【背景技術】
【０００２】
スマートフォン及びタブレット装置等の携帯無線装置の使用がより遍在するにつれて、これらの装置により使用される無線周波数帯域の限られた量に対する需要もまた増加し、認可された周波数帯におけるネットワークの輻輳をもたらしている。さらに、オーディオ及びビデオストリーミング等の高帯域幅アプリケーションの使用の増加は、利用可能な周波数帯の容量を超えて、需要を増やす可能性がある。これは、大都市及び大学等の、高密度かつ使用率の高い場所において特にあてはまる。
【０００３】
無線アーキテクチャ、ハードウェア設計、及びプロセッサスピードの向上は、無線装置による利用可能な周波数帯の使用の効率を大幅に増大させている。しかしながら、利用可能な帯域幅における１ヘルツ毎に、毎秒より多くのビット数を送信する能力は、現在利用可能な電池の技術の上限に達しているかもしれない。
【発明の概要】
【発明が解決しようとする課題】
【０００４】
本発明の実施形態は、移動無線装置間で装置間（Ｄ２Ｄ）通信チャネルを設定するための技術を提供する。
【課題を解決するための手段】
【０００５】
ハイブリッド無線ネットワークにおいて装置間（Ｄ２Ｄ）通信を設定するための方法であって、無線広域ネットワーク（ＷＷＡＮ）を使用して、第１のユーザ装置（ＵＥ）及び第２のＵＥの近接を識別するステップ；ネットワーク支援型の近接検出情報を前記第１のＵＥ及び前記第２のＵＥに通知するステップであって、前記近接検出情報は、Ｄ２Ｄ通信チャネルを含む、ステップ；前記Ｄ２Ｄ通信チャネルの無線ローカルネットワーク（ＷＬＡＮ）に基づくＤ２Ｄフォーマットを使用して、前記第１のＵＥと前記第２のＵＥとの間のＤ２Ｄ通信リンクを設定するステップ；
を含む、方法。
【０００６】
第３世代パートナーシッププロジェクト（３ＧＰＰ）構成の無線広帯域ネットワーク（ＷＷＡＮ）と通信する近接検出機能（ＰＤＦ）モジュールを備える装置間（Ｄ２Ｄ）通信を設定するために動作可能なモジュールであって、前記ＰＤＦモジュールは：第１のユーザ装置（ＵＥ）及び第２のＵＥが近傍内に位置する場合に検出し；前記第１のＵＥ及び前記第２のＵＥのうちの一方をピアツーピア（Ｐ２Ｐ）グループ所有者として選択し；かつ前記Ｐ２Ｐグループ所有者に基づき、選択されたネットワーク支援型近接検出情報を、前記第１のＵＥ及び前記第２のＵＥに通知する；ように構成される、モジュール。
【０００７】
装置間（Ｄ２Ｄ）通信を設定するように構成されるユーザ装置であって、該ユーザ装置は、該ＵＥで動作し、かつ第３世代パートナーシッププロジェクト（３ＧＰＰ）無線広域ネットワークと通信する近接検出機能（ＰＤＦ）モジュールと通信するように構成される装置間（Ｄ２Ｄ）モジュールを備え、該Ｄ２Ｄモジュールは：前記ＰＤＦモジュールから、前記ＵＥの近傍内に他のＵＥが置かれていることの表示を受信し；前記他のＵＥとのＤ２Ｄ通信を設定するために使用可能でありＤ２Ｄ通信チャネルを含むネットワーク支援型近接検出情報を前記ＰＤＦモジュールから受信し；前記ＰＤＦからピアツーピア（Ｐ２Ｐ）グループ所有者ステータスを受信し；且つ該Ｐ２Ｐグループ所有者ステータスに基づき、前記ネットワーク支援型近接検出情報を使用して、前記他のＵＥとの前記Ｄ２Ｄ通信チャネルにおける前記Ｄ２Ｄ通信を設定するように構成される、ユーザ装置。
【０００８】
装置間（Ｄ２Ｄ）通信を設定する方法であって、第１のユーザ装置（ＵＥ）と第２のＵＥが近傍内に位置することを識別するステップ；前記第１のＵＥ及び前記第２のＵＥの一方において、第３世代パートナーシッププロジェクト（３ＧＰＰ）無線広域ネットワーク（ＷＷＡＮ）で動作するエボルブドパケットコア（ＥＰＣ）から、ネットワーク支援型の近接検出情報を受信するステップ；及び前記ＥＰＣから受信した前記ネットワーク支援型の近接検出情報に基づき、ＷｉＦｉ−Ｄｉｒｅｃｔを使用して前記第１のＵＥと前記第２のＵＥとの間の装置間（Ｄ２Ｄ）通信を設定するステップ；を備える方法、を実行するのに適合したコンピュータプログラムコード手段を含むコンピュータプログラム。
【図面の簡単な説明】
【０００９】
以下の詳細な記載と共に本発明の各特徴を例示する添付の図面と併せて考慮することにより、本発明の特徴及び利点は、以下の詳細な記載から明らかとなるであろう。
【００１０】
【図１】一例に従う、ローカルエリアネットワーク（ＷＬＡＮ）を介した装置間通信（ｄｅｖｉｃｅ  ｔｏ  ｄｅｖｉｃｅ  （Ｄ２Ｄ）  ｃｏｍｍｕｎｉｃａｔｉｏｎ）のための３ＧＰＰネットワークにおける近接検出（ｐｒｏｘｉｍｉｔｙ  ｄｉｓｃｏｖｅｒｙ）についてのブロック図を示す。
【図２】直接接続を介した装置間（Ｄ２Ｄ）通信のための３ＧＰＰネットワークにおける近接検出についてのブロック図を示す。
【図３】一例に従う、ＷＬＡＮにおける装置間（Ｄ２Ｄ）通信のための非３ＧＰＰネットワークにおける近接検出についてのブロック図を示す。
【図４】一例に従う、直接接続を介する装置間（Ｄ２Ｄ）通信のための非３ＧＰＰネットワークにおける近接検出についてのブロック図を示す。
【図５】第３世代パートナーシッププロジェクト（３ＧＰＰ）ロングタームエボルーション（ＬＴＥ）ネットワークにおける通信の例を提供するブロック図を示す。
【図６】一例に従う、３ＧＰＰのＷＷＡＮ接続を介した近接検出のプルモードについてのフロー図を示す。
【図７】一例に従う、３ＧＰＰのＷＷＡＮ接続を介した近接検出のプッシュモードについてのフロー図を示す。
【図８】一例に従う、ハイブリッド無線ネットワークにおける装置間（Ｄ２Ｄ）通信を設定するための方法を図示するフローチャートを示す。
【図９】一例に従う、装置間（Ｄ２Ｄ）通信ネットワークを設定するための方法を図示するフローチャートを示す。
【図１０】一例に従う、携帯無線装置を示す。
【発明を実施するための形態】
【００１１】
本発明が開示及び記載される前に、本発明は、本明細書において開示される特定の構造、プロセスステップ、又は材料には限定されず、当業者により認識されるように、それらの均等物に対して拡張される、ということが理解されるべきである。本明細書において使用される用語は、特定の複数の実施例を説明する目的でのみ使用され、そして限定することを意図するものではない、ということが理解されるべきである。
【００１２】
定義
本明細書で使用される場合、「実質的に（ｓｕｂｓｔａｎｔｉａｌｌｙ）」という用語は、動作、特徴、性質、状態、構造、項目又は結果の完全又は完全に近い範囲又は程度のことを意味する。例えば、「実質的に」囲まれている物とは、物が完全に囲まれていること、又はほぼ完全に囲まれていることを意味し得る。絶対的な完全性からの逸脱の正確な許容される程度は、いくつかの場合において、具体的な文脈に依存する。しかしながら、一般的に言って、完全に対する近さは、絶対の且つ全体的な完成が得られたかのような、同じ総合的な結果が得られることを可能にするためのものである。「実質的に」の使用は、否定的な意味において、動作、特徴、性質、状態、構造、項目、又は結果の完全な欠如又は完全に近い欠如のことを意味する場合にも等しく適用可能である。
【００１３】
また、無線装置は、無線通信するように構成されるセンサ等の、単純化されたコンピューティングデバイスであってもよい。無線通信するように構成される複数のセンサは、場合によっては、複数のマシンと呼ばれる。Ｄ２Ｄという用語は、本明細書において、ピアツーピア（Ｐ２Ｐ）及びマシン対マシン（Ｍ２Ｍ）通信と同義的に使用されてもよい。
【００１４】
実施例
技術の複数の実施例の最初の概要が以下に提供され、そして次に、具体的な技術の複数の実施例が後でさらに詳述される。この最初の要約は、読者がより早く本技術を理解することを支援することを意図するものであり、本技術の重要な複数の特徴又は必須の複数の特徴を特定することを意図するものではなく、また権利主張される内容を限定することを意図するものでもない。
【００１５】
送信される無線データの量の指数関数的な増加は、複数の無線装置（少数の例を挙げれば、スマートフォン及びタブレット装置など）に対する複数の無線通信サービスを提供するための認可された周波数帯を使用する複数の無線広域ネットワーク（ＷＷＡＮｓ）における輻輳を引き起こしている。輻輳は、各都市部及び複数の大学などの、高い密度及び高い使用率の複数の場所において、特に明白である。
【００１６】
追加的な帯域幅の容量を与えるための１つの方法は、無線周波数帯の認可された部分又はライセンス不要の部分における装置間（Ｄ２Ｄ）通信を実行するために各無線ローカルエリアネットワーク（ＷＬＡＮ）規格などの複数の低電力無線通信規格を使用することである。複数の装置の間のＤ２Ｄ通信に対する各ＷＬＡＮ規格の使用は、複数のｅＮｏｄｅＢ及び複数のコアネットワーク（ＣＮ）サービス等の、ＷＷＡＮにおける潜在的な複数の難所（ｃｈｏｋｅ  ｐｏｉｎｔｓ）において使用される帯域幅の量を大幅に低減することができる。Ｄ２Ｄ通信は、ｅＮｏｄｅＢ及び／又はＣＮを経由する通信を減らす又は削除することができるため、ＷＷＡＮのセル間通信等の、より長い距離の通信に使用される無線アクセスネットワーク（ＲＡＮ）及びＣＮを解放することができる。
【００１７】
また、Ｄ２Ｄ通信という用語は、ＰｒｏＳｅ通信とも呼ばれ、これは２つのＵＥの間で設定される通信経路の使用による、近接した２つのＵＥの間の通信と定義されてもよい。通信経路は、直接２つのＵＥの間で設定されてもよく、或いはローカルＷＷＡＮ又はＷＬＡＮの複数のネットワークノードを経由して経路が定められてもよい。
【００１８】
ＰｒｏＳｅ機能の有効なＵＥは、ＰｒｏＳｅディスカバリ及び／又はＰｒｏＳｅ通信に対応するＵＥである。Ｄ２Ｄ通信を実行するように構成されるＵＥは、ＰｒｏＳｅ機能の有効なＵＥであり得る。
【００１９】
ＰｒｏＳｅ機能の有効なネットワークは、ＰｒｏＳｅディスカバリ及び／又はＰｒｏＳｅ通信に対応するネットワークである。
【００２０】
ＰｒｏＳｅグループ通信は、２つ以上のＵＥの間で設定される共通の通信経路による、当該２つ以上の近接したＵＥの間の１対複数のＰｒｏＳｅ通信を含む。
【００２１】
ＰｒｏＳｅブロードキャスト通信は、複数のＵＥの間で設定される共通の通信経路による近接した全ての認可されたＵＥの間の１対全てのＰｒｏＳｅ通信である。
【００２２】
多くの種別の無線装置は、例えば、セルラネットワークを介して、認可された周波数帯を経由して通信することが可能であり、そしてＷｉＦｉホットスポット等のライセンス不要の周波数帯域経由で通信することが可能である。ＷｉＦｉは、２．４、３．７及び５ＧＨｚの周波数帯を含むライセンス不要の周波数帯における通信のための米国電気電子学会の（ＩＥＥＥ）８０２．１１の規格のセットに対して与えられた通称である。当該規格のセットは、１９９９年にリリースされた５ＧＨｚ及び３．７ＧＨｚ帯域における通信のためのＩＥＥＥ８０２．１１ａ規格、同じく１９９９年にリリースされた２．４ＧＨｚ帯域における通信のためのＩＥＥＥ８０２．１１ｂ規格、２００３年にリリースされた直交周波数分割多重（ＯＦＤＭ）及び／又は直接シーケンス・スペクトラム拡散（ＤＳＳＳ）による２．４ＧＨｚ帯域における通信のための８０２．１１ｇ規格、及び２００９年にリリースされた、マルチ入力マルチ出力（ＭＩＭＯ）を使用した２．４ＧＨｚ及び５ＧＨｚ帯域における通信のための、８０２．１１ｎ規格、を含む。
【００２３】
ＷｉＦｉ又はＢｌｕｅｔｏｏｔｈ（登録商標）等の規格は、デュアルモードの装置によりアクセス可能な無線ローカルエリアネットワーク（ＷＬＡＮ）を提供するために使用され、それらは、さらに、一般にＷｉＭＡＸ（ｗｏｒｌｄ  ｗｉｄｅ  ｉｎｔｅｒｏｐｅｒａｂｉｌｉｔｙ  ｆｏｒ  ｍｉｃｒｏｗａｖｅ  ａｃｃｅｓｓ）と呼ばれるＩＥＥＥ８０２．１６規格、及び第３世代パートナーシッププロジェクト（３ＧＰＰ）等のセルラネットワーク規格にアクセスすることができる。ＩＥＥＥ８０２．１６規格の複数のリリースは、ＩＥＥＥ８０２．１６ｅ−２００５、ＩＥＥＥ８０２．１６−２００９、及び８０２．１６ｍ−２０１１を含む。３ＧＰＰ規格の複数のリリースは、３ＧＰＰ  ＬＴＥ、２００８年第４四半期のリリース８、２０１１年第１四半期の３ＧＰＰ  ＬＴＥ  Ａｄｖａｎｃｅｄのリリース１０、及び２０１２年第１四半期のリリース１１の事前リリースを含む。
【００２４】
しかしながら、第３世代パートナーシッププロジェクト（３ＧＰＰ）リリース８、９、１０、又は１１等のいくつかの種別の無線広域ネットワーク（ＷＷＡＮ）規格は、完全にＤ２Ｄ通信を提供するように設計されているわけではない。物理レイヤ（ＰＨＹ）、媒体アクセス制御（ＭＡＣ）レイヤ、Ｄ２Ｄ検出対応、分散スケジューリング、及び干渉管理に対する規格の大幅な変更が必要である。
【００２５】
１つの可能性のある解決手段は、ＷＷＡＮ無線装置及びＷＬＡＮ無線装置の双方を含む複数のデュアルモード装置の間のＤ２Ｄ通信を提供するために、ＷＬＡＮ規格を使用することであり得る。例えば、Ｂｌｕｅｔｏｏｔｈ（登録商標）又は米国電気電子学会（ＩＥＥＥ）８０２．１１又はＩＥＥＥ８０２．１５規格等の、ＷＬＡＮ規格を使用してＤ２Ｄ通信を達成することができる。これらの複数の規格の中で、ＩＥＥＥ８０２．１１規格は、最も長い距離におけるＤ２Ｄ通信を提供するために使用することができる。しかしながら、所望のシステム設定及びアーキテクチャに応じて、無線広域ネットワーク（ＷＷＡＮ）及び無線ローカルエリアネットワーク（ＷＬＡＮ）を含むハイブリッド化されたネットワークは、Ｂｌｕｅｔｏｏｔｈ（登録商標）又はＩＥＥＥ８０２．１１又はＩＥＥＥ８０２．１５規格によるＤ２Ｄ通信であって、ＷＷＡＮによりアシストされ得る、Ｄ２Ｄ通信、を含んでもよい。同様に、追加の種別のＷＬＡＮ規格及び他の低電力無線通信規格が使用されてもよい。
【００２６】
無線装置が他の無線装置と直接又は間接的に通信するために、典型的には３つの動作が行われる。最初に、近接検出を支援する複数の無線装置の間で情報が通信されてもよい。この通信は、典型的には、ＷＷＡＮ又はＷＬＡＮネットワークを経由して経路が決められる。第二に、受信された近接検出情報に基づいて、２つの装置の間で近接検出が行われてもよい。第三に、複数の無線装置の間で、直接のＤ２Ｄ通信リンクが設定される。
【００２７】
近接検出情報を受信する前に、典型的には、複数の無線装置は互いに認識しておらず、そして従って、通信することができない。近接検出情報を通信するための１つの手段は、別個の通信チャネルの使用によるものである。例えば、ＷＷＡＮ接続等の、以前に設定されたネットワーク接続を、互いに近傍にある２つ以上の無線装置に近接検出情報を通信するために使用することができる。例えば、ＷＷＡＮである３ＧＰＰ  ＬＴＥ規格を使用して動作するように構成されるユーザ装置（ＵＥ）又はＷＷＡＮであるＩＥＥＥ８０２．１６規格を使用して動作するように構成される移動局（ＭＳ）は、ＷＷＡＮ経由で近接検出情報をＵＥ又はＭＳに通信することができる。
【００２８】
本明細書で使用される場合、「近接（ｐｒｏｘｉｍｉｔｙ）」という用語は、２つの無線装置が直接Ｄ２Ｄ通信リンク経由で通信可能な距離を有すると定義される。実際の距離は、Ｄ２Ｄ通信リンクを形成するのに使用される通信の種別に依存する。例えば、（２０１２年にリリースされた）規格のＩＥＥＥ８０２．１６ｎは、ＩＥＥＥ８０２．１５．４−２００６規格より長い距離で通信することができる。
【００２９】
ＵＥは、他の複数のネットワーク及び／又は複数のＵＥにより手動又は自動で検出可能に構成されてもよい。１つのＵＥの他のＵＥに対する近接は、３ＧＰＰ  Ｅｖｏｌｖｅｄ  Ｐａｋｅｔ  Ｓｙｓｔｅｍ（ＥＰＳ）又はＩＥＥＥ８０２．１６で構成されるＷＷＡＮ等の、ＷＷＡＮネットワークにおける位置認識に基づいて判定することが可能である。他の複数のネットワーク及び／又は複数のＵＥにより検出可能とされる機能は、２つ以上のＵＥが互いの近傍にある場合に、ＷＷＡＮ又はＷＬＡＮネットワークが当該２つ以上のＵＥに対して知らせることを可能にする。
【００３０】
ＵＥを検出可能に構成する処理は、ＰｒｏＳｅ検出（ＰｒｏＳｅ  Ｄｉｓｃｏｖｅｒｙ）と呼ばれてもよく、これはＵＥが他の近傍にあることを特定する処理として定義されてもよい。特定の種別のＷＷＡＮネットワーク、例えば、ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）又は他の所望の種別のＷＷＡＮは、ＰｒｏＳｅ検出を実行するために使用されてもよい。ＰｒｏＳｅ検出は、オープン又は限定のいずれかであってもよい。オープンＰｒｏＳｅ検出において、検出は、検出されるＵＥからの明示的な許可がなくても達成され得る。限定されたＰｒｏＳｅ検出は、検出されるＵＥからの明示的な許可があった場合にのみ行われ得る。
【００３１】
近接検出情報は、複数のＵＥ等の、２つ以上の無線装置が装置間通信を使用して直接通信することを可能にするために必要な情報を含んでもよい。例えば、近接検出情報は、他のＵＥに近接する複数のＵＥの識別情報、ＩＰアドレス、ゲートウェイ、及び隣接する複数のＵＥに対するサブネットマスク、及び通信するための選択されたチャネルを含んでもよい。また、追加的な、操作上の情報が通信されてもよい。例えば、ピアツーピア（Ｐ２Ｐ）グループＩＤ及びＵＥに対するＰ２Ｐインターフェース媒体アクセス制御（ＭＡＣ）アドレスがさらに通信されてもよい。
【００３２】
近接検出情報は、ＵＥがＤ２Ｄ通信経由で直接通信することを可能とするために使用できる情報を与えるために、２つのＵＥに通信されてもよい。複数のＵＥが同じ公衆陸上移動通信網（ＰＬＭＮ）のメンバである場合又はそれらが異なる複数のＰＬＭＮのメンバである場合に、近接検出情報が通信されてもよい。例えば、第１のＵＥのユーザは、オペレータＡの加入者であってもよい。第２のＵＥのユーザは、オペレータＢの加入者であってもよい。当該第１のＵＥ及び第２のＵＥが互いの近傍内にある場合、それらが異なるＰＬＭＮのメンバであったとしても、近接検出情報が当該第１のＵＥ及び第２のＵＥのそれぞれに対して通知されてもよい。各移動通信網のオペレータは、複数のＵＥに対して、他の複数のＰＬＭＮのメンバである他の複数のＵＥの検出を許可することができる。
【００３３】
１つの実施例において、オペレータは、他の複数のＰＬＭＮで動作する複数のＵＥを検出する機能に対して課金することができる。例えば、検出可能とすること及び他の複数のＰＬＭＮにおける複数のＵＥと複数のＤ２Ｄ通信リンクを形成することをユーザが希望する場合、毎月の追加料金が課金されてもよい。
【００３４】
１つの実施例において、複数のＵＥのうちの１つがＤ２Ｄ通信の所有者のグループとして選択されてもよい。近接検出情報は、他のＵＥに近接する各ＵＥに対して、ＷＷＡＮ経由で通知されてもよい。代替的に、グループ所有者ＵＥに近接検出情報を通知するためにＷＷＡＮを使用してもよい。次に、グループ所有者ＵＥは、近接する１つ以上のＵＥと制御チャネルを設定するために、近接検出情報を使用し且つ所望の近接検出情報を隣接する（複数の）ＵＥに送信してもよい。
【００３５】
システムアーキテクチャ及び設計に応じて、ネットワーク支援型の近接検出（ｎｅｔｗｏｒｋ  ａｓｓｉｓｔｅｄ  ｐｒｏｘｉｍｉｔｙ  ｄｉｓｃｏｖｅｒｙ）、近接検出、及びＤ２Ｄ通信は、多くの異なる方法で達成されてもよい。図１−４は、近接検出、検出、及びＤ２Ｄ通信について使用可能な異なる複数のアーキテクチャの例を示す。これらの例は、限定することを意図するものではない。理解することができるように、追加的な複数のアーキテクチャがさらに使用されてもよい。
【００３６】
図１−４の文脈に関して、３ＧＰＰアーキテクチャの簡単な考察が与えられる。図５は、３ＧＰＰリリース８、９、１０及び１１の仕様書において説明されるような、３ＧＰＰ  ＬＴＥネットワークの例を提供する。３ＧＰＰ  ＬＴＥネットワークにおいて、ＵＥ５５０Ａ−Ｂは、無線アクセスネットワーク（ＲＡＮ）５１０経由で、エボルブドパケットコア（ＥＰＣ）５６０と通信することができる。ＲＡＮは、ｅＮｏｄｅＢ  ５１２Ａ及び５１２Ｂとして示されるような、ｅｖｏｌｖｅｄ  ｕｎｉｖｅｒｓａｌ  ｔｅｒｒｅｓｔｒｉａｌ  ｒａｄｉｏ  ａｃｃｅｓｓ（Ｅ−ＵＴＲＡＮ又はｅＵＴＲＡＮ）又は複数のＵＴＲＡＮモジュール等の、複数の送信ノードを含んでもよい。ＲＡＮは、ＥＰＣと通信していてもよい。ＥＰＣは、サービングゲートウェイ（Ｓ−ＧＷ）５２０及びモビリティマネジメントエンティティ（ＭＭＥ）５３０を含んでもよい。また、ＥＰＣは、Ｓ−ＧＷを、インターネット５８０、イントラネット、又は他の同様なネットワーク等の、パケットデータネットワーク（ＰＤＮ）に結合するためのパケットデータネットワーク（ＰＤＮ）ゲートウェイ（Ｐ−ＧＷ）５４２を含んでもよい。移動通信網オペレータ（ＭＮＯ）により運営されるサーバ５４７等の複数の外部サーバは、Ｐ−ＧＷ経由でエボルブドパケットシステム（ＥＰＳ）の外部と接続されてもよい。Ｓ−ＧＷは、ＲＡＮと関連付けられる複数のＵＥに対して、Ｐ２Ｐインターネットネットワークアクセス及び標準的なネットワークアクセスを提供することができる。Ｓ−ＧＷ及びＭＭＥは、ケーブル、ワイヤ、光ファイバ、及び／又ルータ又はリピータ等の送信ハードウェアにより、互いに直接的に通信してもよい。この例において、ｅＮｏｄｅＢ  ５１２Ａ−Ｂは、それぞれ、ＬＴＥ無線リンクＡ−Ｂによって、ＵＥ５５０Ａ−Ｂと接続されている。複数のｅＮＢを接続するために、Ｘ２リンク等のバックホールリンク５１４を使用することができる。Ｘ２リンクは、典型的には、複数のｅＮＢの間のブロードバンド有線接続又は光接続により形成される。ｅＮＢ  ５１２Ａ−ＢとＳ−ＧＷ５２０との間、及びＭＭＥ５３０との間の複数の接続は、Ｓ１タイプの接続５２４Ａ−Ｂ，及び５２６Ａ−Ｂにより設けられてもよい。Ｓ１インターフェースは、一般に公開されている３ＧＰＰ  の技術仕様（ＴＳ）３６．４１０バージョン８（２００８−１２−１１）、９（２００９−１２−１０）及び１０（２０１１−０２−２３）の中において説明されている。
【００３７】
また、ＥＰＣ５６０は、リアルタイムに近い時間で無線ネットワークにおける移動通信網オペレータ（ＭＮＯ）の複数のポリシー規則を判定するために使用可能な、ポリシー及び課金ルール機能（Ｐｏｌｉｃｙ  ａｎｄ  Ｃｈａｒｇｉｎｇ  Ｒｕｌｅｓ  Ｆｕｎｃｔｉｏｎ、ＰＣＲＦ）を含んでもよい。ＰＣＲＦノードは、複数の加入者データベース及び複数の課金システム等の理解できるような、他の特殊化された複数の機能にアクセスすることができる。２つ以上の無線装置の間にＤ２Ｄ接続を形成するために、ＭＮＯがネットワークを構成可能である場合に、リアルタイムに近い時間で識別するために追加的な複数のポリシーを追加することができる。本明細書で使用される場合、ＭＮＯは、無線ネットワークサービスプロバイダである。複数の無線装置の双方は、ＭＮＯのネットワーク内であってもよい。代替的に、複数の無線装置のうちの一つが、他のＭＮＯのネットワークにおいて動作してもよい。代替的に、複数の無線装置のうちの一つが、他のＭＮＯのネットワークにおいて動作してもよい。
【００３８】
また、ＥＰＣ５６０は、アクセスネットワークディスカバリ／選択機能（ＡＮＤＳＦ）５４６を含んでもよい。ＡＮＤＳＦの目的は、ＵＥ５５０Ａ−Ｂが、ＩＥＥＥ８０２．１１又はＩＥＥＥ８０２．１６等の非３ＧＰＰアクセスネットワークを検出することを支援することである。非３ＧＰＰアクセスネットワークは、複数の３ＧＰＰアクセスネットワーク（ＨＳＰＡ又はＬＴＥ等）に加えて、データ通信のため、及びＵＥにこれらのネットワークに対する接続を規制する複数の規則を与えるために、使用することができる。
【００３９】
３ＧＰＰネットワークの基本的なアーキテクチャの理解と共に、図１−４において示されるような、ネットワーク支援型の近接検出、近接検出、及びＤ２Ｄ通信の運用を提供するために使用される、様々なシステムアーキテクチャの例が提供される。
【００４０】
図１に示される例において、ＵＥ１及びＵＥ２の双方は、ＷＷＡＮと通信するように構成されている。この例において、ＷＷＡＮアクセスは、リリース８、９、１０及び１１を含む３ＧＰＰ  ＬＴＥ規格に基づいている。ネットワーク支援型の近接及び検出情報は、ＷＷＡＮアクセスによるコントロールプレーン接続経由で、ＥＣＰからＵＥ１及びＵＥ２に通知することができる。この例示的実施例において、ＷＷＡＮアクセスは、３ＧＰＰに基づいていてもよい。以前に考察されたように、３ＧＰＰアクセスは、１つ以上のｅノードＢを有するＲＡＮにより提供されてもよい。ｅノードＢは、マクロノード等の、複数キロメートルの距離で、複数のＵＥに複数の信号を送信し且つ複数のＵＥから複数の信号を受信するように構成される高出力ノードであってもよい。代替的に、ｅノードＢは、ミクロセル、ピコセル、ホームｅノードＢ等の低出力ノード（ＬＰＮ）であってもよい。ＬＰＮは、１キロ未満の距離で複数のＵＥと通信するように構成されてもよい。
【００４１】
一実施例において、近接検出機能（ＰＤＦ）は、３ＧＰＰネットワークにおける、以下の複数のノードのうちの１つ以上において実施されてもよい：ａ）ｅノードＢ；ｂ）ＭＭＥ；ｃ）ＡＮＤＳＦ；及びｄ）移動通信網オペレータ（ＭＮＯ）の近接サーバ。図１において、ＰＤＦはＡＮＤＳＦ内に配置されていると示されているが、これは限定することを意図するものではない。ＰＤＦは、ネットワーク支援型の近接検出情報をＵＥ１及びＵＥ２に通知するように構成されてもよい。また、ＰＤＦは、ＷＷＡＮネットワークにおいて、ＰＤＦが（複数の）ＵＥと通信することを可能とする他の複数のノードに置かれてもよい。一実施例において、ＡＮＤＳＦは、ＵＥの近くで利用可能であり得るＷＬＡＮネットワークのリスト及び複数のＵＥを支援するために使用可能な情報であって、これにより（複数の）ＷＬＡＮネットワークに対する接続を促進する、情報を含んでもよい。
【００４２】
近接検出情報は、近接を検出し且つＷＬＡＮ経由でＤ２Ｄ通信を実行するために、複数のＵＥにより使用可能な情報を含んでもよい。各ＵＥに配置されるＤ２Ｄモジュールは、３ＧＰＰネットワークにおけるＰＤＦ又はＭＮＯと通信するように構成されてもよい。
【００４３】
一実施例において、近接検出情報は、グループ所有者ステータスを含んでもよい。グループ所有者ステータスは、ＰＤＦにより識別され且つＷＷＡＮ経由でＰＤＦから選択されたＵＥに通知されてもよい。グループ所有者ステータスは、１つ以上の他のＵＥとのＤ２Ｄ通信において、選択されたＵＥがマスターとなることを指定する。グループ所有者ステータスは、ＰＤＦにより決定されてもよい。グループ所有者ＵＥは、Ｄ２Ｄ通信チャネルにおいて、複数の他のＵＥとＰｒｏＳｅグループ通信を使用して通信するように構成されてもよい。
【００４４】
一例において、グループ所有者のネットワーク支援型の近接検出情報は、さらに、ＵＥ１及びＵＥ２の識別値、及びＤ２Ｄ通信が行われることになる通信ＷＬＡＮチャネルが含まれてもよい。例えば、通信ＷＬＡＮチャネルは、ＩＥＥＥ８０２．１１通信規格、ＩＥＥＥ８０２．１５通信規格、Ｂｌｕｅｔｏｏｔｈ（登録商標）規格、又はＵＥ１とＵＥ２との間のＤ２Ｄ通信リンクを形成するために使用される他のＷＬＡＮ規格による通信のために選択されてもよい。
【００４５】
一実施例において、Ｄ２Ｄ検出に対するＵＥの識別値は、３ＧＰＰで規定されたものであってもよく、或いは新しい識別情報が形成されてもよい。識別値のいくつかの例が以下の複数の段落において与えられる。これらの例は、限定することを意図するものではない。理解できるように、他の種別のＵＥ識別値がさらに使用されてもよい。
【００４６】
ＩＭＳＩ：  Ｉｎｔｅｒｎａｔｉｏｎａｌ  Ｍｏｂｉｌｅ  Ｓｕｂｓｃｒｉｂｅｒ  Ｉｄｅｎｔｉｔｙ。一実施例において、ＵＥ２は、そのＩＭＳＩを使用して、ＳＳＩＤ値を作成することができる。ＩＭＳＩは、その機密性保護が必要であるため、一方向性セキュアハッシュ関数を使用して符号化されてもよい（又はＩＭＳＩから新たな識別情報が導出されてもよい）。機密性が保護されてもよく、或いはＩＭＳＩのリバースエンジニアリングが非常に困難な方法において新しい識別情報が導出されてもよい。
【００４７】
ＩＭＥＩ：Ｉｎｔｅｒｎａｔｉｏｎａｌ  Ｍｏｂｉｌｅ  Ｓｔａｔｉｏｎ  Ｅｑｕｉｐｍｅｎｔ  Ｉｄｅｎｔｉｔｙ。ＩＭＥＩフォーマットは３ＧＰＰにより定められる。例えば、１つの定義が３ＧＰＰ技術仕様（ＴＳ）２３．００３  Ｖ１１．２．０（２０１２−０６）のセクション６において与えられる。
【００４８】
ＭＡＣ  ＩＤ：この例において、ビーコンは、ＵＥ１により知られることになるＵＥ２のＭＡＣ  ＩＤを含んでもよい。ＩＭＳＩに関して以前に考察されたように、ＭＡＣ  ＩＤの機密性保護のために、セキュリティ機構が実施されなければならない。
【００４９】
ＭＳＩＳＤＮ：Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ−Ｎｕｍｂｅｒ。これは、移動通信装置の加入者識別モジュール（ＳＩＭ）カードに記憶される電話番号である。現在の１０桁の限界よりも長い長さのＭＳＩＳＤＮが定義されてもよい。
【００５０】
ＴＭＳＩ／Ｐ−ＴＭＳＩ／Ｍ−ＴＭＳＩ／Ｓ−ＴＭＳＩ／ＬＭＳＩ／ＴＬＬＩ：ＴＭＳＩ（ｔｅｍｐｏｒａｒｙ  ｍｏｂｉｌｅ  ｓｕｂｓｃｒｉｂｅｒ  ｉｄｅｎｔｉｔｙ）は、無線通信装置とネットワークとの間で最も一般的に送信される識別情報である。ＴＭＳＩは、パケット交換ドメイン（／ｐ）の中に置かれてもよい。ＴＭＳＩ／Ｍは、世界規模で一意的な暫定的識別情報（ｇｌｏｂａｌｌｙ  ｕｎｉｑｕｅ  ｔｅｍｐｏｒａｒｙ  ｉｄｅｎｔｉｒｙ、ＧＵＴＩ）の一部である３２桁の２進数であり、そしてＥ−ＵＴＲＡＮ  （ｅｖｏｌｖｅｄ  ｕｎｉｖｅｒｓａｌ  ｔｅｒｒｅｓｔｉｒａｌ  ｒａｄｉｏ  ａｃｃｅｓｓ  ｎｅｔｗｏｒｋ）において排他的に使用される。ＴＭＳＩ／Ｓは、モビリティマネジメントエンティティコード（ＭＭＥＣ）及びＭ−ＴＭＳＩで構成される。実際に、それはＧＵＴＩの短い変形に過ぎない。ＬＭＳＩは、特定のＩＭＳＩに対するデータベースレコードのポインタとしての役割を果たすローカルなモバイル加入者識別情報である。ＴＬＬＩ（ｔｅｍｐｏｒａｒｙ  ｌｏｇｉｃａｌ  ｌｉｎｋ  ｉｄｅｎｔｉｆｉｅｒ）は、ＧＳＭ（登録商標）及びＧＰＲＳサービスにおいて使用される。それは、ＵＥとＳＧＳＮ（Ｓｅｒｖｉｎｇ  ＧＰＲＳ  Ｓｕｐｐｏｒｔ  Ｎｏｄｅ）との間の通信のために使用されるシグナリングアドレスを提供する。これらの複数の識別情報の構造及びフォーマットは、３ＧＰＰ  ＴＳ２３．００３のセクション２において定められている。これらは、ＭＳＣ／ＳＧＳＮ／ＭＭＥによりＵＥに対して割り当てられる、種々のローカル識別情報である。使用するＴＬＬＩは、Ｐ−ＴＭＳＩ（ローカル又は外来のＴＬＬＩ）に基づいて、又は直接に（ｒａｎｄｏｍ  ＴＬＬＩ）ＵＥにより作られる。これらのローカル識別情報は、両方のＵＥが同じオペレータに属し且つ同じＭＳＣ／ＳＧＳＮ／ＭＭＥ領域に存在する場合に使用することができる。
【００５１】
ＧＵＴＩ：世界的規模で一意的な暫定ＵＥ識別情報（ＧＵＴＩ）のフォーマットは、３ＧＰＰ  ＴＳ２３．００３のセクション２．８において定められている。
【００５２】
Ａｃｃｅｓｓ  Ｎｅｔｗｏｒｋ  Ｉｄｅｎｔｉｔｙ：ある特定のＤ２Ｄのシナリオにおいて、装置は、アクセスネットワークとしての役割を果たしてもよく、そしてアクセスネットワーク識別子をブロードキャストしてもよい。一実施例において、Ｄ２Ｄに対する新しいアクセスネットワーク識別情報が定められてもよく、そしてＵＥ  ＩＤとして使用されてもよい。
【００５３】
Ｄ２Ｄ−ＡＰＮ：専用のＤ２Ｄアクセスポイント名（Ｄ２Ｄ−ＡＰＮ）が各ＵＥに割り当てられてもよい。
【００５４】
Ｎｅｗ  Ｉｄｅｎｔｉｔｙ：Ｄ２Ｄ検出のために、新しい識別情報が複数のＵＥに与えられてもよい。この識別情報は、課金を目的として、内部でＩＭＳＩにマッピングされてもよい。一例において、新しい識別情報は、ネットワークアクセス識別子（ＮＡＩ）、ユニフォームリソース識別子（ＵＲＩ）、又は完全修飾ドメイン名（ＦＱＤＮ）に基づきフォーマットされてもよい。ＮＡＩ／ＵＲＩは、例えば、ＩＭＳＩ、ＭＳＩＳＤＮ、ＩＭＳＩ、ＭＡＣ  ＩＤ、又は理解できるように、他の所望の識別子を使用して修飾されてもよい。
【００５５】
また、グループ所有者に対するネットワーク支援型の近接検出情報は、ａ）Ｐ２Ｐグループ基本サービスセット識別情報（ＢＳＳＩＤ）；ｂ）ＵＥ１に対するピアツーピア（Ｐ２Ｐ）インターフェース媒体アクセス制御（ＭＡＣ）アドレス及びＵＥ２に対するＰ２ＰインターフェースＭＡＣアドレス、を含んでもよい。各ＵＥに対するＰ２ＰグループＢＳＳＩＤ及びＰ２ＰインターフェースＭＡＣアドレスは、選択的に、ＵＥ１  ＩＤ及び／又はＵＥ２  ＩＤから導出されてもよい。これについては、以下の複数の段落においてより完全に考察される。
【００５６】
他の例において、グループ所有者ではないＵＥ（すなわち、ＰＤＦにより、グループ所有者として指定されていないＵＥ）に対するネットワーク支援型の近接検出情報は、ａ）ＵＥ１  ＩＤ；ｂ）ＵＥ２  ＩＤ；ｃ）Ｄ２Ｄ通信が行われるＷＬＡＮ通信チャネル；ｄ）ＵＥ１に対するＰ２ＰインターフェースＭＡＣアドレス；及びｅ）ＵＥ２に対するＰ２ＰインターフェースＭＡＣアドレス、を含んでもよい。グループ所有者と同様に、Ｐ２ＰインターフェースＭＡＣアドレスは、ＵＥ１  ＩＤ及びＵＥ２  ＩＤから導出されてもよい。
【００５７】
近接検出情報がＷＷＡＮネットワーク経由で受信された後、各ＵＥで受信される近接検出情報に基づき、近接検出が実行されてもよい。例えば、近接検出情報において識別された他のＵＥについて、グループ所有者ＵＥはスキャンを行ってもよい。グループ所有者でないＵＥは、ＷＬＡＮ通信チャネルで信号を待機してもよい。一実施例において、グループ所有者ＵＥは、通信チャネルにおいて、Ｐ２ＰグループＢＳＳＩＤを送信してもよい。グループ所有者でないＵＥは、ＷＬＡＮ通信チャネルにおいて、Ｐ２ＰグループＢＳＳＩＤに対するスキャンを行うように構成されてもよい。
【００５８】
図１に示される例において、グループ所有者であるＵＥ１は、ＷＬＡＮ経由で、Ｐ２ＰグループＢＳＳＩＤをＵＥ２に送信することができる。次に、ＵＥ１は、通信チャンネルにおいて、ＷＬＡＮ経由でＵＥ２と通信することができる。以前に考察されたように、ＷＬＡＮは、Ｂｌｕｅｔｏｏｔｈ（登録商標）、ＩＥＥＥ８０２．１１、ＩＥＥＥ８０２．１５、又は他のＷＬＡＮ規格を含む複数の規格に基づくものであってもよい。
【００５９】
近接検出情報がＷＷＡＮネットワークにより複数のＵＥに通知され且つ近接検出がコントロールプレーンにおいて実行されると、データプレーンにおいて、ＵＥ１とＵＥ２との間にＤ２Ｄ通信リンクが設定される。図１の例において、Ｄ２Ｄ通信リンクがＷＬＡＮアクセスポイント（ＡＰ）の役割を果たす、ＷＬＡＮアクセスにより形成される。ＷＬＡＮ  ＡＰは、信頼できるＡＰであるか、又は信頼できないＡＰであり得る。
【００６０】
図２は、ネットワーク支援型の近接検出、近接検出、及びＤ２Ｄ通信の動作を提供するための、他のアーキテクチャの例を示す。図２の例において、図１に関して以前に考察されたように、ネットワーク支援型の近接検出情報は、グループ所有者ＵＥ（すなわちＵＥ１）及びグループ所有者でないＵＥ（すなわちＵＥ２）に対して通知されてもよい。代替的に、以前に考察されたように、ＵＥ２がグループ所有者として指定され、そしてＵＥ１が非グループ所有者として指定されてもよい。図２における近接検出動作は、コントロールプレーン接続により、ＵＥ１とＵＥ２との間で直接実行されてもよい。
【００６１】
例えば、Ｗｉ−Ｆｉ  Ｄｉｒｅｃｔ又はＢｌｕｅｔｏｏｔｈ（登録商標）を使用して、グループ所有者は、近接検出情報の中で以前に受信されたＷＬＡＮ通信チャネルをスキャンしてもよく、かつＵＥ２は、近接度を確認するために、近接検出情報において受信されたＷＬＡＮ通信チャネルで待機してもよい。一実施例において、ＵＥ１は、ＷＬＡＮ通信チャネルにより、Ｐ２ＰグループＢＳＳＩＤを直接ＵＥ２に送信してもよい。ＵＥ２は、ＷＬＡＮ通信チャネルにおいて、Ｐ２ＰグループＢＳＳＩＤをスキャンすることができる。次に、ＵＥ１及びＵＥ２において、それぞれＵＥ１  ＩＤ及びＵＥ２  ＩＤを使用して、Ｐ２ＰインターフェースＭＡＣアドレスが作成されてもよい。その後、Ｗｉ−Ｆｉ  Ｄｉｒｅｃｔ、Ｂｌｕｅｔｏｏｔｈ（登録商標）、又は他のＷＬＡＮ  Ｄ２Ｄインターフェースを使用して、データプレーン接続により、ＵＥ１はＵＥ２と直接通信することができる。ＵＥ１とＵＥ２との間の直接Ｄ２Ｄ通信を形成するのに使用されるＤ２Ｄインターフェースの種別は、ネットワーク支援型の近接検出情報転送の間に受信された情報に基づいて識別されてもよい。
【００６２】
図３は、ネットワーク支援型の近接検出、近接検出、及びＤ２Ｄ通信の動作を提供する追加のアーキテクチャの例を示す。図３の例において、ネットワーク支援型の近接検出情報は、グループ所有者のＵＥ（すなわち、ＵＥ１又はＵＥ２）及びグループ所有者でないＵＥ（すなわち、ＵＥ２又はＵＥ１）に通知されてもよい。この例において、ネットワーク支援型の近接検出情報は、ＷＬＡＮアクセスポイント経由で通知されてもよい。双方のＵＥがＷＬＡＮアクセスポイントと通信するように事前設定されてもよい。図３に示されるように、ＷＬＡＮアクセスポイントは、ＥＰＣと直接通信するように構成されてもよい。一例において、ＷＬＡＮアクセスポイントは、ＷＷＡＮアクセスポイントと直接統合されてもよい。図３において示されるように、ＡＰとｅＮＢの統合は、ＥＰＣとのコントロールプレーン接続において、複数のＵＥがＥＰＣと通信することを可能とし得る。ＷＬＡＮアクセスポイント経由で通知されるネットワーク支援型近接検出情報は、図１に関して以前に考察されたものと同じ情報を含んでもよい。
【００６３】
図３に示されるように、近接検出動作は、ＷＬＡＮアクセスポイント経由で、ＵＥ１とＵＥ２との間で実行されてもよい。例えば、Ｗｉ−Ｆｉ  Ｄｉｒｅｃｔ、Ｂｌｕｅｔｏｏｔｈ（登録商標）、ＩＥＥＥ８０２．１５、又は他のＷＬＡＮ通信方式を使用して、グループ所有者であるＵＥ１は、以前に近接検出情報の中で受信したＷＬＡＮ通信チャネルをスキャンしてもよく、そしてＵＥ２は、近接度を確認するために、近接検出情報の中で受信されたＷＬＡＮ通信チャネルにおいて待機してもよい。一実施例において、ＵＥ１は、ＷＬＡＮ通信チャネル経由で、Ｐ２ＰグループＢＳＳＩＤを直接ＵＥ２に送信してもよい。ＵＥ２は、ＷＬＡＮ通信チャネルにおいて、Ｐ２ＰグループＢＳＳＩＤをスキャンしてもよい。次に、ＵＥ１及びＵＥ２において、それぞれＵＥ１  ＩＤ及びＵＥ２  ＩＤを使用して、Ｐ２ＰインターフェースＭＡＣアドレスが作成されてもよい。その後、データプレーン接続を形成するために、Ｗｉ−Ｆｉ  Ｄｉｒｅｃｔ、Ｂｌｕｅｔｏｏｔｈ（登録商標）、ＩＥＥＥ８０２．１５又は他のＷＬＡＮ  Ｄ２Ｄインターフェースを使用して、ＵＥ１はＵＥ２と直接通信してもよい。ＷＬＡＮアクセスポイント経由でＵＥ１とＵＥ２との間のＤ２Ｄ通信を形成するために使用されるＤ２Ｄインタフェースの種別は、ネットワーク支援型近接検出情報の転送の間に受信された情報に基づいて識別されてもよい。図３において、Ｄ２Ｄ通信チャネルは、ＷＬＡＮアクセスポイント経由で形成される。例えば、ＷＬＡＮアクセスポイントは、Ｄ２Ｄ通信を有効とするためのＵＥ１とＵＥ２との間のデータプレーン接続を形成するために使用することの可能なＩＥＥＥ８０２．１１  ＡＰであってもよい。Ｄ２Ｄ通信を提供するために、信頼できるＡＰ又は信頼できないＡＰを使用してもよい。
【００６４】
図４は、ネットワーク支援型の近接検出、近接検出、及びＤ２Ｄ通信の動作を提供するアーキテクチャのさらにもう１つの例を提供する。図４の例において、ネットワーク支援型の近接検出情報は、コントロールプレーン接続により、グループ所有者ＵＥ（すなわち、ＵＥ１又はＵＥ２）及びグループ所有者でないＵＥ（すなわち、ＵＥ２又はＵＥ１）に通知されてもよい。図１及び図２のアーキテクチャの例において以前に考察されたように、この例において、ネットワーク支援型の近接検出情報は、ｅＮｏｄｅＢ等の、ＷＷＡＮアクセスポイントとのコントロールプレーン接続により通知されてもよい。図４に示されるように、ｅＮｏｄｅＢ等の、ＷＷＡＮアクセスポイントは、ＥＰＣと直接通信するように構成されてもよい。ＷＷＡＮアクセスポイント経由で通知されるネットワーク支援型近接検出情報は、図１に関して以前に考察されたものと同じ情報を含んでもよい。図４における近接検出動作は、コントロールプレーンにおいて、ＵＥ１とＵＥ２との間で直接実行されてもよい。
【００６５】
例えば、Ｗｉ−Ｆｉ  Ｄｉｒｅｃｔ又はＢｌｕｅｔｏｏｔｈ（登録商標）を使用して、グループ所有者であるＵＥ１は、近接検出情報において以前に受信したＷＬＡＮ通信チャネルをスキャンしてもよく、そしてＵＥ２は、近接度を確認するために、近接検出情報において受信したＷＬＡＮ通信チャネルにおいて待機してもよい。一実施例において、ＵＥ１は、ＷＬＡＮ通信チャネル経由で、Ｐ２ＰグループＢＳＳＩＤを直接ＵＥに送信してもよい。ＵＥ２は、ＷＬＡＮ通信チャネルにおいて、Ｐ２ＰグループＢＳＳＩＤをスキャンしてもよい。その後、ＵＥ１及びＵＥ２において、それぞれＵＥ１  ＩＤ及びＵＥ２  ＩＤを使用して、Ｐ２ＰインターフェースＭＡＣアドレスが作成されてもよい。その後、ＵＥ１は、Ｗｉ−Ｆｉ  Ｄｉｒｅｃｔ、Ｂｌｕｅｔｏｏｔｈ（登録商標）、又は他のＷＬＡＮ  Ｄ２Ｄインターフェースを使用して、データプレーン経由で直接ＵＥ２と通信することができる。ＵＥ１とＵＥ２との間の直接Ｄ２Ｄ通信を形成するために使用されるＤ２Ｄインターフェースの種別は、ネットワーク支援型近接検出情報の転送中に受信した情報に基づいて識別されてもよい。
【００６６】
図６は、図２に示されるような、３ＧＰＰ  ＷＷＡＮ接続による近接検出のフロー図の例を示す。図６のフロー図は、ＵＥ１が近接度の確認のために近接検出機能を要求可能な、プル型のモデルを表す。２つのＵＥのうちのどのＵＥがグループ所有者であるかを３ＧＰＰネットワークが決定できる、ということに注意すべきである。
【００６７】
図６のフロー図において、この例におけるＵＥ１等の、第１のＵＥは、近接度を検出するために、近接検出機能（Ｐｒｏｘｉｍｉｔｙ  Ｄｅｔｅｃｔｉｏｎ  Ｆｕｎｃｔｉｏｎ  （ＰＤＦ））を要求することができる（６０２）。以前に考察したように、ＰＤＦは、ｅＮｏｄｅＢ、ＭＭＥ、ＡＮＤＳＦ、ＭＮＯの近接サーバ、又はＷＷＡＮネットワークにおいてＰＤＦが（複数の）ＵＥと通信することを可能とする他のノードに配置されてもよい。要求を受信した後、ＰＤＦは近接度を周期的に確認してもよい（６０４）。周期性の割合は、システム設計及びオペレータの選択に依存する。近接度の確認は、数ミリ秒から数秒までの割合で行われてもよい。この例においては、近接度に対する３回の確認が示されている。しかしながら、これは限定することを意図するものではない。どのような回数の近接度の確認が行われてもよい。
【００６８】
一実施例において、３ＧＰＰ  ＬＴＥ規格に基づいて構成されるＷＷＡＮは、ＵＥ１及びＵＥ２が、それらが近傍にあることを特定することを可能とするのに必要な情報を与えるために使用されてもよい。この情報は、ＰＤＦがどこに実装されるかに応じて、種々の異なるプロトコルにより通知されてもよい。
【００６９】
例えば、ＰＤＦがｅＮＢに配置される場合、無線リソース制御（ＲＲＣ）メッセージを使用することができる。ＰＤＦがＭＭＥに配置される場合、Ｓ１アクセスポイント経由でのＭＭＥからＲＡＮへの通信であって、ＲＡＮの中のｅＮＢからＵＥへのＲＲＣメッセージングに続く、通信、が使用されてもよい。代替的に、ＰＤＦがＭＭＥに配置される場合、ＵＥ１及びＵＥ２と通信するために、ＮＡＳレイヤ（ｎｏｎ−ａｃｃｅｓｓ  ｓｔｒａｔｕｍ  ｌａｙｅｒ）が使用されてもよい。ＰＤＦがＡＮＤＳＦに配置される場合、ＰＤＦと各ＵＥとの間の通信のために、ＯＭＡ（ｏｐｅｎ  ｍｏｂｉｌｅ  ａｌｌｉａｎｃｅ）により定められたデバイスマネジメントプロトコル（ｄｅｖｉｃｅ  ｍａｎａｇｅｍｅｎｔ  ｐｒｏｔｏｃｏｌ）が使用されてもよい。ＰＤＦが、ＭＮＯコアにおいて使用可能なＯＴＴ（ｏｖｅｒ  ｔｈｅ  ｔｏｐ）サーバ等の、サーバに配置される場合、ＨＴＴＰ（ｈｙｐｅｒ  ｔｅｘｔ  ｔｒａｎｓｆｅｒ  ｐｒｏｔｏｃｏｌ）、ＸＭＬ（ｅｘｔｅｎｓｉｂｌｅ  ｍａｒｋｕｐ  ｌａｎｇｕａｇｅ）、ＳＯＡＰ（ｓｉｍｐｌｅ  ｏｂｊｅｃｔ  ａｃｃｅｓｓ  ｐｒｏｔｏｃｏｌ）等の、標準化された仕様に基づくプログラミング言語又は所望の言語が使用されてもよい。
【００７０】
他のＵＥが、要求元のＵＥの近傍内の位置にあると特定された場合、ＰＤＦは、これらの互いに近傍にあるＵＥのうちのどちらをＰ２Ｐグループ所有者として指定するかを決定してもよい。以前に考察されたように、Ｐ２Ｐグループ所有者としてＵＥを選択することは、ＲＡＮに対するＵＥの信号の強度、ＵＥの能力に基づいてもよく、当該選択は、３ＧＰＰネットワークにおける２つ以上のＵＥの間で無作為に行われてもよく、或いは当該選択は、理解できるように、他の所望の尺度に基づいてもよい。
【００７１】
ステップ６０６及びステップ６０７において、近接度が各ＵＥに示されてもよい。図１−４に関して以前に考察されたように、近接度の表示は、グループ所有者（６０６）及び非グループ所有者（６０７）に対するネットワーク支援型近接検出情報（Ｎｅｔｗｏｒｋ  Ａｓｓｉｓｔｅｄ  Ｐｒｏｘｉｍｉｔｙ  Ｄｉｓｃｏｖｅｒｙ  Ｉｎｆｏｒｍａｔｉｏｎ）を含んでもよい。
【００７２】
ステップ６０８において、Ｐ２Ｐグループ所有者は（この例においてはＵＥ１）、Ｐ２ＰグループＢＳＳＩＤをＷＬＡＮ通信チャネルにおいて送信してもよい。ＷＬＡＮ通信チャネルに関する情報は、ステップ６０７において受信されている。一実施例において、Ｐ２ＰグループＢＳＳＩＤは、ＷｉＦｉ−Ｄｉｒｅｃｔ接続においてＵＥ２がそれを検出することを支援するために、Ｐ２Ｐ情報要素（ＩＥ）の一部として通知されてもよい。ステップ６１０において、非グループ所有者であるＵＥ２は、ＷＬＡＮ通信チャネルにおいて、Ｐ２ＰグループＢＳＳＩＤをスキャンすることができる。ＷＬＡＮ通信チャネルに関する情報は、ステップ６０６において受信されている。代替的に、Ｐ２ＰグループＢＳＳＩＤは、３ＧＰＰネットワークにより送信されてもよく、或いは３ＧＰＰネットワークにより与えられるＵＥ１の識別情報（ＵＥ１  ＩＤ）を使用して作成されてもよい。ＵＥ１  ＩＤは、ＵＥ２により事前に知られていてもよい。
【００７３】
ステップ６１２において、ＵＥ１はＵＥ２の位置を検出してもよく、且つＵＥ１とＵＥ２との間に、ＷｉＦｉ−Ｄｉｒｅｃｔリンク等の、直接リンクが設定されてもよい。ステップ６１４及びステップ６１６に示されるように、ＷｉＦｉ−Ｄｉｒｅｃｔリンクを設定する処理において、ＵＥ１及びＵＥ２は、それぞれステップ６０７及び６０６の間に通知されたＵＥ１  ＩＤ及びＵＥ２  ＩＤを使用して、Ｐ２ＰインターフェースＭＡＣアドレスを作成してもよい。Ｐ２ＰインターフェースＭＡＣアドレスは、３ＧＰＰネットワークにより送信されるＵＥ  ＩＤから導出され得る仮想ＭＡＣアドレスであってもよい。代替的に、Ｐ２ＰインターフェースＭＡＣアドレスは、３ＧＰＰネットワークにより、両方のＵＥに対して明示的に通知されてもよい。ブロック６１８に示されるように、Ｐ２ＰインターフェースＭＡＣアドレスを使用して、ＵＥ１とＵＥ２との間のＤ２Ｄ通信が開始されてもよい。
【００７４】
図７は、図２に示されるような、３ＧＰＰ  ＷＷＡＮ接続による近接検出に対するフロー図の他の例を示す。図７のフロー図は、近接が生じたことをＰＤＦが特定でき且つ互いの近傍内に位置する複数のＵＥに対して情報をプッシュすることができる、プッシュ型のモデルを表している。
【００７５】
以前に考察されたように、図７の例において、次に、ＰＤＦは、複数のＵＥが互いの近傍内に位置し得ることを識別するために、近接の確認を周期的行うように構成されてもよい。近接が識別された後、ＰＤＦは、どのＵＥをＰ２Ｐグループ所有者として指定すべきか決定してもよい。この例においては、ＵＥ２がＰ２Ｐグループ所有者として指定される。ステップ７０６において、Ｐ２Ｐグループ所有者に対するネットワーク支援型の近接検出情報がＵＥに通知される。ステップ７０７において、非グループ所有者に対する近接検出情報がＵＥ１に通知される。
【００７６】
ステップ７０８において、Ｐ２Ｐグループ所有者であるＵＥ２は、ステップ７０６で受信した情報に基づいて、ＷＬＡＮ通信チャネルにおいて、Ｐ２ＰグループＢＳＳＩＤを送信してもよい。その後、グループ所有者でないＵＥ１は、ステップ７０７において受信した情報に基づき、ＷＬＡＮ通信チャネルにおいて、Ｐ２ＰグループＢＳＳＩＤをスキャンしてもよい。
【００７７】
ステップ７１２において、ＵＥ２はＵＥ１の位置を検出し、そしてＷｉＦｉ−Ｄｉｒｅｃｔリンクを設定してもよい。Ｐ２ＰインターフェースＭＡＣアドレスが作成された後、ステップ７１８に示されるように、Ｄ２Ｄ通信が開示されてもよい。
【００７８】
図６及び図７のフロー図の例は、ＵＥ１とＵＥ２との間のＷｉＦｉ−Ｄｉｒｅｃｔ  Ｄ２Ｄ接続を構成する例を含んでいたが、このことは限定することを意図するものではない。また、以前に考察されたように、Ｄ２Ｄ接続は、Ｂｌｕｅｔｏｏｔｈ（登録商標）及びＩＥＥＥ８０２．１５に基づく規格を含むが、これらには限定されない、他の複数のＷＬＡＮ規格を使用し構成されてもよい。
【００７９】
一実施例において、装置間（Ｄ２Ｄ）通信を設定するように構成されるユーザ装置（ＵＥ）が開示される。前記ＵＥは、第３世代パートナーシッププロジェクト（３ＧＰＰ）無線広域ネットワークと通信する近接検出機能（ＰＤＦ）モジュールと通信するように構成される装置間（Ｄ２Ｄ）モジュールを含む。前記Ｄ２Ｄモジュールは、前記ＰＤＦモジュールから、前記ＵＥの近傍内に他のＵＥが置かれていることの表示を受信し；前記他のＵＥとのＤ２Ｄ通信を設定するために使用可能でありＤ２Ｄ通信チャネルを含むネットワーク支援型近接検出情報を前記ＰＤＦモジュールから受信し；前記ＰＤＦからピアツーピア（Ｐ２Ｐ）グループ所有者ステータスを受信し；且つ前記Ｐ２Ｐグループ所有者ステータスに基づき、前記ネットワーク支援型近接検出情報を使用して、前記他のＵＥとの前記Ｄ２Ｄ通信チャネルにおける前記Ｄ２Ｄ通信を設定するように構成される。
【００８０】
前記ＵＥで動作する前記Ｄ２Ｄモジュールは、さらに：Ｐ２Ｐグループ所有者のステータスを受信する場合に、ピアツーピア（Ｐ２Ｐ）グループ（Ｐ２ＰＧｒｏｕｐ）基本サービスセット識別情報（ＢＳＳＩＤ）を前記Ｄ２Ｄ通信チャネルのＷＬＡＮ通信チャネルで送信し；且つＰ２Ｐ非グループ所有者のステータスを受信する場合に、前記Ｄ２Ｄ通信チャネルにおいて前記Ｐ２ＰＧｒｏｕｐ  ＢＳＳＩＤをスキャンするように構成されてもよい。
【００８１】
前記Ｄ２Ｄモジュールは、また、前記ＵＥ及び前記他のＵＥの、ピアツーピア（Ｐ２Ｐ）インターフェース媒体アクセス制御（ＭＡＣ）アドレスを作成するように構成されてもよい。前記Ｄ２Ｄモジュールは、また、前記ＵＥのＵＥ識別（ＩＤ）値及び前記他のＵＥのＵＥ  ＩＤ値を使用して、前記Ｐ２ＰインターフェースＭＡＣを作成するように構成されてもよい。
【００８２】
一実施例において、前記ＵＥ及び前記他のＵＥの前記ＵＥ  ＩＤ値は、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）、ＩＭＥＩ（ｉｎｔｅｒｎａｔｉｏｎａｌ  ｍｏｂｉｌｅ  ｓｔａｔｉｏｎ  ｅｑｕｉｐｍｅｎｔ  ｉｄｅｎｔｉｔｙ）、媒体アクセス制御（ＭＡＣ）識別情報（ＩＤ）、ＭＳＩＳＤＮ（ｍｏｂｉｌｅ  ｓｕｂｓｃｒｉｂｅｒ  ｉｎｔｅｇｒａｔｅｄ  ｓｅｒｖｉｃｅｓ  ｄｉｇｉｔａｌ  ｎｅｔｗｏｒｋ−ｎｕｍｂｅｒ）、ＴＭＳＩ（ｔｅｍｐｏｒａｒｙ  ｍｏｂｉｌｅ  ｓｕｂｓｃｒｉｂｅｒ  ｉｄｅｎｔｉｔｙ）、ＧＵＴＩ（ｇｌｏｂａｌ  ｕｎｉｑｕｅ  ｔｅｍｐｏｒａｒｙ  ｉｄｅｎｔｉｔｙ）、ＬＭＳＩ（ｌｏｃａｌ  ｍｏｂｉｌｅ  ｓｕｂｓｃｒｉｂｅｒ  ｉｄｅｎｔｉｔｙ）、ＴＬＬＩ（ｔｅｍｐｏｒａｒｙ  ｌｏｇｉｃａｌ  ｌｉｎｋ  ｉｄｅｎｔｉｆｉｅｒ）、ＡＳＮ（ａｃｃｅｓｓ  ｎｅｔｗｏｒｋ  ｉｄｅｎｔｉｔｙ）、Ｄ２Ｄアクセスポイント名（ＡＰＮ）、及び課金目的のために前記ＩＭＳＩにマップされる新しいユーザ情報、のうちの少なくとも１つに基づき作成されてもよい。
【００８３】
他の実施例において、前記Ｄ２Ｄモジュールは、前記ＵＥ及び前記他のＵＥが前記Ｄ２Ｄ通信により通信できるようにするために、前記Ｐ２ＰインターフェースＭＡＣアドレスを使用して、前記他のＵＥとのＤ２Ｄ通信を設定するように構成されてもよい。前記Ｄ２Ｄモジュールは、前記ＷＷＡＮのｅＮｏｄｅＢ又は無線ローカルエリアネットワーク（ＷＬＡＮ）アクセスポイントを使用することなく前記ＵＥが前記他のＵＥと通信できるようにするために、前記Ｄ２Ｄ通信チャネルにおいて前記他のＵＥとの前記Ｄ２Ｄ通信を設定するように構成されてもよい。
【００８４】
図８は、ハイブリッド無線ネットワークにおいて、装置間（Ｄ２Ｄ）通信を設定する方法８００を図示するフローチャートを提供する。ブロック８１０において示されるように、前記方法は、無線広域ネットワーク（ＷＷＡＮ）を使用する第１のユーザ装置（ＵＥ）の第２のＵＥに対する近接を識別するためのステップを含む。ブロック８２０において示されるように、ネットワーク支援型の近接検出情報は、前記第１のＵＥ及び前記第２のＵＥに通知されてもよい。前記近接検出情報は、Ｄ２Ｄ通信チャネルであって、それにおいて前記第１のＵＥと前記第２のＵＥとの間の前記Ｄ２Ｄ通信を設定することのできる、Ｄ２Ｄ通信チャネル、を含んでもよい。前記第１のＵＥと前記第２のＵＥとの間のＤ２Ｄ通信リンクは、前記Ｄ２Ｄ通信チャネルにおける無線ローカルエリアネットワーク（ＷＬＡＮ）に基づくＤ２Ｄフォーマットを使用して設定されてもよい。
【００８５】
前記方法８００は、さらに、前記ＷＷＡＮと通信するＷＬＡＮを使用して、前記第１のＵＥ及び前記第２の近接を識別する動作を含んでもよい。追加的な動作は、近接検出機能（ＰＤＦ）を使用して、前記第１のＵＥ及び前記第２のＵＥのうちの一方をピアツーピア（Ｐ２Ｐ）グループ所有者として選択することを含む。
【００８６】
一実施例において、前記第１のＵＥ（ＵＥ１  ＩＤ）及び前記第２のＵＥ（ＵＥ２  ＩＤ）の識別情報は、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）、ＩＭＥＩ（ｉｎｔｅｒｎａｔｉｏｎａｌ  ｍｏｂｉｌｅ  ｓｔａｔｉｏｎ  ｅｑｕｉｐｍｅｎｔ  ｉｄｅｎｔｉｔｙ）、媒体アクセス制御（ＭＡＣ）識別情報（ＩＤ）、ＭＳＩＳＤＮ（ｍｏｂｉｌｅ  ｓｕｂｓｃｒｉｂｅｒ  ｉｎｔｅｇｒａｔｅｄ  ｓｅｒｖｉｃｅｓ  ｄｉｇｉｔａｌ  ｎｅｔｗｏｒｋ−ｎｕｍｂｅｒ）、ＴＭＳＩ（ｔｅｍｐｏｒａｒｙ  ｍｏｂｉｌｅ  ｓｕｂｓｃｒｉｂｅｒ  ｉｄｅｎｔｉｔｙ）、ＧＵＴＩ（ｇｌｏｂａｌ  ｕｎｉｑｕｅ  ｔｅｍｐｏｒａｒｙ  ｉｄｅｎｔｉｔｙ）、ＬＭＳＩ（ｌｏｃａｌ  ｍｏｂｉｌｅ  ｓｕｂｓｃｒｉｂｅｒ  ｉｄｅｎｔｉｔｙ）、ＴＬＬＩ（ｔｅｍｐｏｒａｒｙ  ｌｏｇｉｃａｌ  ｌｉｎｋ  ｉｄｅｎｔｉｆｉｅｒ）、ＡＳＮ（ａｃｃｅｓｓ  ｎｅｔｗｏｒｋ  ｉｄｅｎｔｉｔｙ）、Ｄ２Ｄアクセスポイント名（ＡＰＮ）、及び課金目的のために前記ＩＭＳＩにマップされる新しいユーザ情報、のうちの少なくとも１つに基づいて作成されてもよい。
【００８７】
ピアツーピア（Ｐ２Ｐ）インターフェース媒体アクセス制御（ＭＡＣ）アドレスが構成されてもよい。前記ＭＡＣアドレスは、前記第１のＵＥと前記第２のＵＥとの間の前記Ｄ２Ｄ通信リンクを設定するために、前記ＵＥ１  ＩＤ及び前記ＵＥ２  ＩＤから導出される仮想ＭＡＣアドレスであってもよい。
【００８８】
前記第１のＵＥと前記第２のＵＥとの間の近接は、前記ＷＷＡＮ経由で前記第１のＵＥ及び前記第２のＵＥにおいて受信される前記ネットワーク支援型の近接検出情報を使用して検出されてもよい。ここで、前記ＷＷＡＮは、第３世代パートナーシッププロジェクト（３ＧＰＰ）リリース８、９、１０又は１１に基づくＷＷＡＮである。一実施例において、前記第１のＵＥと前記第２のＵＥとの間の前記近接は、ピアツーピアグループ（Ｐ２ＰＧｒｏｕｐ）基本サービスセット識別情報（ＢＳＳＩＤ）を前記第１のＵＥ及び前記第２のＵＥのうちのピアツーピア（Ｐ２Ｐ）グループ所有者として選択される一方から送信すること、及び前記第１のＵＥ及び前記第２のＵＥのうちの前記Ｐ２Ｐグループ所有者として選択されない一方により前記Ｐ２ＰＧｒｏｕｐ  ＢＳＳＩＤをスキャンすることにより検出されてもよい。
【００８９】
また、方法８００は、前記Ｄ２Ｄ通信チャネルにおいてＰ２ＰＧｒｏｕｐ  ＢＳＳＩＤを送信し、且つ前記Ｄ２Ｄ通信チャネルにおいて前記Ｐ２ＰＧｒｏｕｐ  ＢＳＳＩＤをスキャンする動作を含んでもよい。
【００９０】
ネットワーク支援型の近接検出情報を通知する前記動作は、さらに、前記第１のＵＥ及び前記第２のＵＥのうちのグループ所有者として選択された一方に対して、近接検出機能により選択されたグループ所有者ステータス；識別情報（ＩＤ）値（ＵＥ  ＩＤ）；及びＤ２Ｄ通信チャネルの中心周波数及び帯域幅；を送信することを含んでもよい。
【００９１】
ネットワーク支援型近接検出情報を前記グループ所有者に通知する前記動作は、さらに、ピアツーピアグループ（Ｐ２ＰＧｒｏｕｐ）基本サービスセット識別情報（ＢＳＳＩＤ）；前記グループ所有者として選択された前記ＵＥのピアツーピア（Ｐ２Ｐ）インターフェース媒体アクセス制御（ＭＡＣ）アドレス；及び前記第１のＵＥ及び前記第２のＵＥのうちの前記グループ所有者として選択ない一方のＰ２ＰインターフェースＭＡＣアドレス、を通知することを含んでもよい。一実施例において、各ＵＥの前記Ｐ２ＰインターフェースＭＡＣアドレスは、そのＵＥについて導出されるＵＥ識別情報（ＩＤ）値から導出される。
【００９２】
他の実施例において、ネットワーク支援型の近接検出情報は、前記第１のＵＥ及び前記第２のＵＥのうちのグループ所有者として選択されなかった一方に対して送信されてもよい。前記非グループ所有者に対して送信される前記情報は、近接検出機能により選択されたグループ所有者ステータス；ユーザ装置（ＵＥ）識別情報（ＩＤ）値；及びＤ２Ｄ通信チャネル中心周波数及び帯域幅、を含んでもよい。前記非グループ所有者に送信され得る追加的な情報は、さらに、前記グループ所有者として選択された前記ＵＥのピアツーピア（Ｐ２Ｐ）インターフェース媒体アクセス制御（ＭＡＣ）アドレス；及び前記第１のＵＥ及び前記第２のＵＥのうちの前記グループ所有者として選択されなかった一方のＰ２ＰインターフェースＭＡＣアドレス、を含んでもよい。
【００９３】
他の実施例において、図９のフローチャートにおいて図示されるように、装置間（Ｄ２Ｄ）通信を設定する方法９００が開示される。前記方法は、ブロック９１０に示されるように、近傍内に位置する第１のユーザ装置及び第２のユーザ装置を識別する前記動作を含む。追加の動作は、ブロック９２０に示されるように、第３世代パートナーシッププロジェクト（３ＧＰＰ）無線広域ネットワーク（ＷＷＡＮ）において動作するエボルブドパケットコア（ＥＰＣ）からのネットワーク支援型の近接検出情報を、前記第１のＵＥ及び前記第２のＵＥの一方において受信すること、を含む。さらなる動作は、ブロック９３０に示されるように、前記ＥＰＣから受信した前記ネットワーク支援型の近接検出情報に基づき、ＷｉＦｉ−Ｄｉｒｅｃｔを使用して、前記第１のＵＥと前記第２のＵＥとの間の装置間（Ｄ２Ｄ）通信を設定することを含む。
【００９４】
方法９００は、さらに、モビリティマネジメントエンティティ（ＭＭＥ）及び前記ＥＰＣで動作するＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）のうちの１つにおいて動作する近接検出機能（ＰＤＦ）モジュールからの、前記ネットワーク支援型の近接検出情報を、前記第１のＵＥ及び前記第２のＵＥにおいて受信することを含む。
【００９５】
前記第１のＵＥ及び前記第２のＵＥに対するピアツーピア（Ｐ２）インターフェース媒体アクセス制御（ＭＡＣ）アドレスが構成されてもよい。前記第１のＵＥの第１ＵＥ  ＩＤ値及び前記第２のＵＥの第２ＵＥ  ＩＤ値がさらに作成されてもよい。各UE  ID値は、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）、ＩＭＥＩ（ｉｎｔｅｒｎａｔｉｏｎａｌ  ｍｏｂｉｌｅ  ｓｔａｔｉｏｎ  ｅｑｕｉｐｍｅｎｔ  ｉｄｅｎｔｉｔｙ）、媒体アクセス制御（ＭＡＣ）識別情報（ＩＤ）、ＭＳＩＳＤＮ（ｍｏｂｉｌｅ  ｓｕｂｓｃｒｉｂｅｒ  ｉｎｔｅｇｒａｔｅｄ  ｓｅｒｖｉｃｅｓ  ｄｉｇｉｔａｌ  ｎｅｔｗｏｒｋ−ｎｕｍｂｅｒ）、ＴＭＳＩ（ｔｅｍｐｏｒａｒｙ  ｍｏｂｉｌｅ  ｓｕｂｓｃｒｉｂｅｒ  ｉｄｅｎｔｉｔｙ）、ＧＵＴＩ（ｇｌｏｂａｌ  ｕｎｉｑｕｅ  ｔｅｍｐｏｒａｒｙ  ｉｄｅｎｔｉｔｙ）、ＬＭＳＩ（ｌｏｃａｌ  ｍｏｂｉｌｅ  ｓｕｂｓｃｒｉｂｅｒ  ｉｄｅｎｔｉｔｙ）、ＴＬＬＩ（ｔｅｍｐｏｒａｒｙ  ｌｏｇｉｃａｌ  ｌｉｎｋ  ｉｄｅｎｔｉｆｉｅｒ）、ＡＳＮ（ａｃｃｅｓｓ  ｎｅｔｗｏｒｋ  ｉｄｅｎｔｉｔｙ）、Ｄ２Ｄアクセスポイント名（ＡＰＮ）、及び課金目的のために前記ＩＭＳＩにマップされる新しいユーザ情報、のうちの少なくとも１つに基づいて作成される。
【００９６】
一実施例において、前記第１のＵＥと前記第２のＵＥとの間の前記Ｄ２Ｄ通信リンクを設定するために、仮想ＭＡＣアドレスである、ピアツーピア（Ｐ２Ｐ）インターフェース媒体アクセス制御（ＭＡＣ）アドレスが前記第１ＵＥ  ＩＤ及び前記第２ＵＥ  ＩＤから導出されてもよい。
【００９７】
図１０は、ユーザ装置（ＵＥ）、移動局（ＭＳ）、携帯無線装置、携帯通信装置、タブレット、ハンドセット又は他の種別の形態無線装置等の、携帯装置の説明図の例を示す。携帯装置は、基地局（ＢＳ）、拡張ノードＢ（ｅＮＢ）、又は他の種別の無線広域ネットワーク（ＷＷＡＮ）アクセスポイントと通信するように構成される１つ以上のアンテナを含んでもよい。携帯装置は、３ＧＰＰ  ＬＴＥ、ＷｉＭＡＸ、ＨＳＰＡ（Ｈｉｇｈ  Ｓｐｅｅｄ  Ｐａｃｋｅｔ  Ａｃｃｅｓｓ）、Ｂｌｕｅｔｏｏｔｈ（登録商標）、及びＷｉＦｉを含む無線通信規格のうちの１つ以上を使用して通信するように構成されてもよい。携帯装置は、各無線通信規格に対する別々のアンテナ又は複数の無線通信規格に対する共用アンテナを使用して通信してもよい。
【００９８】
また、図１０は、携帯装置からの音声入出力に使用可能なマイクロホン及び１つ以上のスピーカの図を提供する。表示画面は、液晶ディスプレイ（LCD)スクリーン、又は有機発光ダイオード（OLED)ディスプレイ等の他の種別のディスプレイスクリーンであってもよい。表示画面は、タッチスクリーンとして構成されてもよい。タッチスクリーンは、容量性、抵抗性、又は他の種別のタッチスクリーン技術を使用してもよい。処理能力及び表示能力を提供するために、アプリケーションプロセッサ及びグラフィックプロセッサは、内部メモリと結合されてもよい。また、ユーザに入力／出力の複数のオプションを提供するために、不揮発性メモリポートを使用することができる。また、携帯装置のメモリ機能を拡張するために、不揮発性メモリポートを使用してもよい。キーボードは携帯装置と統合されてもよく、或いは追加のユーザ入力を提供するために携帯装置に無線で接続されてもよい。また、タッチスクリーンを使用して、仮想キーボードが提供されてもよい。
【００９９】
本明細書において説明される複数の機能ユニットの多くは、それらの実装の独立性をより協調するために、モジュールとして名付けられている、ということを理解すべきである。例えば、モジュールは、カスタムＶＬＳＩ回路又はゲートアレイ、論理チップ、トランジスタ、又は他の個別部品等の既製の半導体を含む、ハードウェア回路として実施されてもよい。また、モジュールはフィールド・プログラマブル・ゲート・アレイ、プログラマブル・アレイ・ロジック、プログラマブル・ロジック・デバイス等の、プログラマブルハードウェア装置において実装されてもよい。
【０１００】
また、モジュールは、各種プロセッサにより実行されるソフトウェアにおいて実施されてもよい。例えば、実行可能コードの識別されたモジュールは、例えば、オブジェクト、プロシージャ、又は関数として編成され得る、コンピュータ命令の１つ以上の物理又は論理ブロックを含んでもよい。それにもかかわらず、識別されたモジュールの実行可能ファイルは、物理的に一緒に配置する必要はなく、異なる複数の場所に記憶される異なる複数の命令であって、論理的に結合された場合、モジュールを構成し、かつモジュールの示された目的を達成する、異なる複数の命令、を含んでもよい。
【０１０１】
実際に、実行可能コードのモジュールは単一の命令であってもよく、又は複数の命令であってもよく、そして、異なる複数のプログラムの間及びいくつかのメモリ装置にわたって、いくつかの異なるコードセグメントに分散されてもよい。同様に、本明細書において、動作データは複数のモジュール内で識別及び説明されてもよく、かつ任意の適切な種類のデータ構造内で任意の適切な形で具体化され、かつ任意の適切な種類のデータ構造内で編成されてもよい。動作データは、単一のデータセットとして収集されてもよく、又は異なる複数の記憶装置にわたることを含めて、異なる複数の場所にわたって分散されてもよく、かつ少なくとも部分的に、システム又はネットワークにおける単なる複数の電子信号として存在してもよい。複数のモジュールは、所望の機能を実行するために動作可能な複数のエージェントを含めて、受動的又は能動的であってもよい。
【０１０２】
各種技術、又はその特定の態様又は部分は、フロッピー（登録商標）ディスク、ＣＤ−ＲＯＭ、ハードドライブ、非一時的なコンピュータ可読記憶媒体、又はその他の任意の機械可読記憶媒体等の、有形の媒体において具現化されるプログラムコード（すなわち、命令）の形式をとることができ、プログラムコードがコンピュータ等の機械にロードされ、かつ実行される場合、その機械は各種技術を実施するための装置となる。非一時的という用語は、任意の種別の有形媒体を含む。プログラム可能なコンピュータ上でプログラムコードを実行する場合には、コンピューティングデバイスは、プロセッサ、プロセッサによって読み取り可能な記憶媒体（揮発性及び不揮発性メモリ及び／又は記憶要素を含む）、１つ以上の入力装置、及び１つ以上の出力装置を含んでもよい。本明細書に記載される各種技術を実施又は利用する１つ以上のプログラムは、アプリケーションプログラムインターフェース（ＡＰＩ）、再利用可能なコントロールなどを使用することができる。そのようなプログラムは、コンピュータと通信するための、高レベル手続型言語又はオブジェクト指向プログラミング言語において実施することができる。しかしながら、希望する場合には、（複数の）プログラムは、アセンブリ又は機械言語で実施されてもよい。いずれの場合においても、言語はコンパイルされた言語又は解釈された言語であってもよく、そしてハードウェア実装と結合されてもよい。
【０１０３】
本明細書における「一実施例（ｏｎｅ  ｅｍｂｏｄｉｍｅｎｔ）」又は「実施例（ａｎ  ｅｍｂｏｄｉｍｅｎｔ）」への参照は、実施例に関しての特定の特徴、構造、又は特性が、本発明の１以上の実施例の中に含まれることを意味する。従って、本明細書の様々な箇所における「一実施例における（ｉｎ  ｏｎｅ  ｅｍｂｏｄｉｍｅｎｔ）」又は「実施例における（ｉｎ  ａｎ  ｅｍｂｏｄｉｍｅｎｔ）」という表現の複数の出現は、必ずしも全て同じ実施例を参照しているわけではない。
【０１０４】
本明細書で使用されるように、複数の項目、構造要素、組成要素、及び／又は材料は、便宜上、共通のリストの中において示されてもよい。しかしながら、これらのリストは、リストの各要素が個別に、別個かつ固有の要素であるとして識別されるかのように解釈されるべきである。従って、そのようなリストのどの要素も、そうではないということを示すことなく共通のグループの中にそれらが示されていることのみに基づいて、同じリストのその他の任意の要素の事実上の均等物であるとして解釈されるべきではない。また、本発明の様々な実施例及び例は、それらの様々な構成要素の代替物と共に、本明細書で参照されてもよい。そのような複数の実施例、例、及び代替物は互いの事実上の均等物として解釈されるべきではなく、本発明の別個かつ自律的な複数の表現とみなされるべきである、ということが理解される。
【０１０５】
さらに、説明される複数の特徴、構造、又は特性は、１つ以上の実施例において、任意の適切な方法で組み合わせることができる。以下の説明において、本発明の複数の実施例の充分な理解を与えるために、材料、ファスナー、サイズ、長さ、幅、形状等、多数の特定の詳細が提供される。しかしながら、当業者は、本発明は１つ以上の特定の詳細無しで、又は他の複数の方法、構成要素、材料等と共に実施され得ることを理解するであろう。他の複数の例において、本発明の複数の態様を不明瞭にすることを避けるために、周知の複数の構造、材料、又は動作は詳細には示されない、又は説明されない。
【０１０６】
前述の複数の例は、１つ以上の特定の応用における本発明の原理の例示であるが、発明力を行使することなく、かつ本発明の原理及び概念から逸脱することなく、実施の形式、用法及び詳細における多数の変更を行うことができる、ということが当業者にとって明らかである。従って、以下に記載される複数の特許請求項によるものを除いて、本発明が限定されることは意図されていない。
【図１】
0006034496.tif 000002
【図２】
0006034496.tif 000003
【図３】
0006034496.tif 000004
【図４】
0006034496.tif 000005
【図５】
0006034496.tif 000006
【図６】
0006034496.tif 000007
【図７】
0006034496.tif 000008
【図８】
0006034496.tif 000009
【図９】
0006034496.tif 000010
【図１０】
0006034496.tif 000011